(57)【特許請求の範囲】
【請求項１】
（イ）可撓性ホースの端部が接続された吐水本体及び該吐水本体から下向きに延び出した支持管部を有する吐水部材と、（ロ）カウンター等の取付基体に取付固定され、該吐水部材を該支持管部において上下動可能に保持し且つ移動案内する基部保持体と、を備えて成る水栓装置において
前記基部保持体にリング状の位置保持部材を、前記支持管部に対して外嵌する状態に且つ該基部保持体に固定状態に具備させ、該支持管部の外周面に上周方向溝と下周方向溝とを上下に所定間隔隔てて形成するとともに、該位置保持部材には、それら上周方向溝，下周方向溝の溝内に弾性的に係入して該支持管部を上下方向の２位置に位置保持するばね部を一体に形成し、更に該上，下周方向溝とばね部との一方の周方向の２位置に突出状の被ストッパ部を、他方には該被ストッパ部に当接して前記支持管部の回転範囲を規制する、対応したストッパ部を一体に形成したことを特徴とする水栓装置。
【請求項２】
（イ）可撓性ホースの端部が接続された吐水本体及び該吐水本体から下向きに延び出した支持管部を有する吐水部材と、（ロ）カウンター等の取付基体に取付固定され、該吐水部材を該支持管部において上下動可能に保持し且つ移動案内する基部保持体と、を備えて成る水栓装置において
前記基部保持体にリング状の位置保持部材を、前記支持管部に対して外嵌する状態に且つ該基部保持体に固定状態に具備させ、該支持管部の外周面に上周方向溝と下周方向溝とを上下に所定間隔隔てて形成するとともに、該位置保持部材には、それら上周方向溝，下周方向溝の溝内に弾性的に係入して該支持管部を上下方向の２位置に位置保持し、且つそれら上周方向溝，下周方向溝の溝底面に弾性接触状態に押圧されて該支持管部に対し回転方向の摺動抵抗を与えるばね部を一体に形成し、更に前記上，下周方向溝とばね部との一方の周方向の２位置に突出状の被ストッパ部を、他方には該被ストッパ部に当接して該支持管部の回転範囲を規制する、対応したストッパ部を一体に形成したことを特徴とする水栓装置。
【請求項３】
請求項１，２の何れかにおいて、前記ストッパ部を前記支持管部の側に、また前記被ストッパ部を前記位置保持部材の側にそれぞれ形成し、且つ前記ばね部の前記上，下周方向溝の溝底面への接触側の面にセレーション部を形成して、該セレーション部の周方向端を該被ストッパ部として構成したことを特徴とする水栓装置。
【発明の詳細な説明】
【０００１】
【発明の属する技術分野】
この発明は水栓装置に関し、詳しくは上下移動可能な吐水部材を備えた水栓装置に関する。
【０００２】
【従来の技術】
従来、吐水部材を上下に移動可能に設け、その吐水部材を低位置（下降位置）に位置させた状態で手洗い等を行い、また吐水部材を高位置（上昇位置）に位置させた状態で洗髪を行い得るようにした洗髪水栓装置が用いられている。
【０００３】
図７はこの種洗髪水栓装置の例を示したものである。
図において２００は吐水部材で、カウンター等取付基体２０２の上側に露出状態で設けられた吐水本体２０４と、これから下向きに延び出す支持管部２０６とを有している。
【０００４】
吐水本体２０４には可撓性ホース２０８の端部が接続されており、この可撓性ホース２０８を通じて水が吐水本体２０４へと導かれ、先端の吐水口２１０から吐水されるようになっている。
【０００５】
２１２は取付基体２０２に取付固定された基部保持体で、吐水部材２００を支持管部２０６において上下移動可能に保持し且つ上下移動案内するようになっている。
【０００６】
２１４は吐水部材２００から離れた位置において取付基体２０２に設けられた水栓本体で、上部にハンドル２１６が設けられている。
【０００７】
この水栓本体２１４では供給管２１８を通じて送られてきた水と湯とが混合され、それら混合水がホース２０８へと送り出される。そしてその送り出された混合水が吐水本体２０４へと導かれる。
【０００８】
図８は上記吐水部材２００を下降位置と上昇位置との２位置に位置保持する位置保持機構及び吐水部材、詳しくは吐水本体２０４のフリー回転（自由回転）を抑制する機構を具体的に示している。
【０００９】
同図において、２２０は基部保持体２１２における基部筒体であって、外周面の雄ねじ部に固定ナット２２２が螺合され、上端のフランジ部２２６と固定ナット２２２とにより、取付基体２０２を三角パッキン２２４を介して上下両側から挾み込む状態で取付基体２０２に取付固定されている。
【００１０】
この基部筒体２２０の上端部には台座キャップ２２８がねじ込固定されている。そしてその台座キャップ２２８の内部に弾性Ｃリングから成る位置保持部材２３０，支持管部２０６の回転に対して摺動抵抗を与え、その自由な回転を抑制する摺接部材２３１，これを下向きに押圧するハット状の押圧部材２３２，及びＵパッキン２３４が組み込まれている。
【００１１】
ここで弾性Ｃリングから成る位置保持部材２３０は次のように作用する。
即ち、支持管部２０６には図７及び図８に示しているように上環状溝（上周方向溝）２３６Ａと、下環状溝（下周方向溝）２３６Ｂとが上下に所定距離隔てて形成されており、そして支持管部２０６が吐水本体２０４とともに上方に引き上げられて下環状溝２３６Ｂが位置保持部材２３０の位置に到ると、そこで位置保持部材２３０が下環状溝２３６Ｂに弾性的に係入し、その係合作用に基づいて支持管部２０６及び吐水本体２０４を上昇位置に位置保持する。
【００１２】
また逆に支持管部２０６が吐水本体２０４とともに下向きに押し込まれたとき、上環状溝２３６Ａが位置保持部材２３０の位置に到ったところで、位置保持部材２３０が今度は上環状溝２３６Ａ内に弾性的に係入し、その係合作用に基づいて支持管部２０６及び吐水本体２０４を下降位置に位置保持する。
【００１３】
一方摺接部材２３１は、リング部材を３つに分割した円弧形状の３つの摺接片２３８と、それらの溝２４０に装着されてそれら３つの摺接片２３８を縮径方向に締め付けるリング状のコイルスプリング２４２とから成っており、それら全体が台座キャップ２２８の下向きのねじ込力に基づいて、更には押圧部材２３２に形成された楔２４４との係合作用に基づいて、回転規制された状態で各摺接片２３８の内周面が支持管部２０６の外周面に摩擦接触させられており、その摩擦抵抗に基づいて、支持管部２０６の自由な回転を抑制している。即ち吐水本体２０４の自由な回転を抑制している。
【００１４】
このように吐水本体２０４の自由な回転を抑制するのは、その先端の吐水口２１０を所定位置に位置させておく必要があることに基づく。
【００１５】
しかしながらこの摺接部材２３１は吐水本体２０４、具体的には支持管部２０６の回転運動に対して所定の摺動抵抗を与えるに過ぎないものであり、従って吐水本体２０４に対して誤って力が加えられたとき、吐水本体２０４は支持管部２０６の軸心を中心として３６０°回転することが可能である。
【００１６】
しかしながら吐水本体２０４が３６０°回転可能であると、場合によって吐水口２１０が洗面器の洗面鉢から外れた位置を向く可能性があり、その状態で誤って吐水が行われてしまうと、吐水口２１０から吐水された水が周辺に飛び散ってしまい、洗面器周辺や床等を濡らしてしまう不都合がある。
【００１７】
従ってこの種洗髪水栓装置においては、吐水部材２００をある定められた範囲内に回転規制をすることが望ましい。
図９はその回転規制のための機構の例を示している。
図示のようにこの例では、支持管部２０６と吐水本体２０４とにそれぞれ突出状のストッパ部２４６及び２５０を設ける一方、基部筒体２２０と台座キャップ２２８とにそれぞれ突出状の対応した被ストッパ部２４８及び２５２を設け、下降位置と上昇位置とのそれぞれにおいて吐水部材２００を一定角度範囲内で回転規制を行うようにしている。
【００１８】
【発明が解決しようとする課題】
しかしながらこのような形態で上下の位置保持，吐水部材２００の自由回転の抑制及び所定角度範囲内での回転規制を行うようにした場合、それらのために非常に沢山の部品が必要で、水栓装置を構成するための部品点数が多くなるとともに、それぞれの機構が複雑となり、ひいては吐水部材２００及びその周りの構造が大きくなる外、コストも高くなるといった問題を生ずる。
【００１９】
【課題を解決するための手段】
本願の発明はこのような課題を解決するためになされたものである。
而して請求項１の水栓装置は、（イ）可撓性ホースの端部が接続された吐水本体及び該吐水本体から下向きに延び出した支持管部を有する吐水部材と、（ロ）カウンター等の取付基体に取付固定され、該吐水部材を該支持管部において上下動可能に保持し且つ移動案内する基部保持体と、を備えて成る水栓装置において、前記基部保持体にリング状の位置保持部材を、前記支持管部に対して外嵌する状態に且つ該基部保持体に固定状態に具備させ、該支持管部の外周面に上周方向溝と下周方向溝とを上下に所定間隔隔てて形成するとともに、該位置保持部材には、それら上周方向溝，下周方向溝の溝内に弾性的に係入して該支持管部を上下方向の２位置に位置保持するばね部を一体に形成し、更に該上，下周方向溝とばね部との一方の周方向の２位置に突出状の被ストッパ部を、他方には該被ストッパ部に当接して前記支持管部の回転範囲を規制する、対応したストッパ部を一体に形成したことを特徴とする。
【００２０】
請求項２の水栓装置は、（イ）可撓性ホースの端部が接続された吐水本体及び該吐水本体から下向きに延び出した支持管部を有する吐水部材と、（ロ）カウンター等の取付基体に取付固定され、該吐水部材を該支持管部において上下動可能に保持し且つ移動案内する基部保持体と、を備えて成る水栓装置において、前記基部保持体にリング状の位置保持部材を、前記支持管部に対して外嵌する状態に且つ該基部保持体に固定状態に具備させ、該支持管部の外周面に上周方向溝と下周方向溝とを上下に所定間隔隔てて形成するとともに、該位置保持部材には、それら上周方向溝，下周方向溝の溝内に弾性的に係入して該支持管部を上下方向の２位置に位置保持し、且つそれら上周方向溝，下周方向溝の溝底面に弾性接触状態に押圧されて該支持管部に対し回転方向の摺動抵抗を与えるばね部を一体に形成し、更に前記上，下周方向溝とばね部との一方の周方向の２位置に突出状の被ストッパ部を、他方には該被ストッパ部に当接して該支持管部の回転範囲を規制する、対応したストッパ部を一体に形成したことを特徴とする。
【００２１】
請求項３の水栓装置は、請求項１，２の何れかにおいて、前記ストッパ部を前記支持管部の側に、また前記被ストッパ部を前記位置保持部材の側にそれぞれ形成し、且つ前記ばね部の前記上，下周方向溝の溝底面への接触側の面にセレーション部を形成して、該セレーション部の周方向端を該被ストッパ部として構成したことを特徴とする。
【００２２】
【作用及び発明の効果】
上記のように請求項１の水栓装置は、リング状の位置保持部材にばね部を一体に形成し、そのばね部を、支持管部の上，下周方向溝に弾性的に係入させて上下方向の位置保持をさせるようになすとともに、その上，下周方向溝とばね部との一方に被ストッパ部を、他方にその被ストッパ部に当接して支持管部の回転範囲を規制するストッパ部を一体に形成したもので、この水栓装置においては吐水部材、詳しくは支持管部の上下の位置保持と回転範囲の規制とを、ともに１つのリング状の位置保持部材にて行うことができる。
【００２３】
従ってこの水栓装置においては必要な部品点数を大幅に少なくでき、また位置保持及び回転範囲の規制のための機構が簡素化し、吐水部材及びその周りの構造がコンパクト化する。また所要コストも低減する。
【００２４】
次に請求項２の水栓装置は、上記リング状の位置保持部材に、支持管部の上下方向の位置保持機能と回転抑制機能と、更にその回転範囲を規制する機能の３つの機能を付加したもので、この水栓装置においては、吐水部材の上下の位置保持と回転抑制と回転範囲の規制のための部品として、単一の位置保持部材を組み込むだけで良く、それら３つの作用を行うための必要な部品点数を更に少なくでき、従って水栓装置の構成をコンパクト化できるとともにコストを更に低減することができる。
【００２５】
また上記請求項１，２の水栓装置において、上記セレーション部の周方向端を被ストッパ部として構成することができ（請求項３）、このようにすれば位置保持部材の構成及び回転範囲の規制のための構造を更に簡素化することができる。
【００２６】
【実施例】
次に本発明の実施例を図面に基づいて詳しく説明する。
図１において、１０は洗面化粧台で、１２は上部のミラーキャビネット、１４は下部の洗面台である。ミラーキャビネット１２は主ミラー１６と袖ミラー１８とを有している。
また洗面台１４は、洗面器２０とカウンター２２及びベースキャビネット２４を有している。
【００２７】
２６は洗面台１４に取り付けられた洗髪水栓装置であって、カウンター２２に距離を離してそれぞれ設けられた吐水部材２８と、水栓本体３０とを備えている。
【００２８】
吐水部材２８は、カウンター２２の上側に露出状態で設けられた吐水本体３２と、その吐水本体３２から下向きに延び出した支持管部３４とを有している。ここで吐水本体３２の先端部はシャワーヘッド３５とされている。
【００２９】
吐水本体３２には可撓性ホース３６が接続されており、水栓本体３０からの水がこの可撓性ホース３６を通じて吐水本体３２へと導かれ、更にその先端のシャワーヘッド３５から洗面器２０に向けてシャワー吐水され或いは１本の水流束としてストレート吐水される。
【００３０】
水栓本体３０の上部にはハンドル３９が設けられており、このハンドル３９の操作によって、供給管４０を通じて送られてきた水と湯とが水栓本体３０の内部で所定比率に混合され、その混合水がホース３６へと送り出される。
【００３１】
図２において、４２はカウンター２２に取付固定された基部保持体で、この基部保持体４２により吐水部材２８が上下に移動可能に保持され且つ上下方向に移動案内されるようになっている。
【００３２】
図３及び図４はその基部保持体４２による吐水部材２８の保持及び移動案内の機構を具体的に示したものである。
図３において、４３は短い円筒形状の第一取付部材で下端に外向きのフランジを有し、そのフランジにおいてカウンター２２の上面に着座させられている。
４４は円筒形状を成す第二取付部材であって、これら第二取付部材４４と第一取付部材４３とはビス４６により締結され、互いに固定状態とされている。
【００３３】
これら第一取付部材４３及び第二取付部材４４は、リング状の化粧リング４８によって目隠しされている。尚、化粧リング４８には開口５０が形成されており、この開口５０においてビス４６のねじ込操作を行うようになっている。
ここで化粧リング４８は、第二取付部材４４に対して回転可能とされている。
【００３４】
５２は第一取付部材４３及び第二取付部材４４をカウンター２２に対して固定するための挾持部材であって、この挾持部材５２と第一取付部材４３及び第二取付部材４４が、図示を省略する締結部材にて上下方向に締結され、その締結力に基づいて挾持部材５２と第一取付部材４３及び第二取付部材４４とがカウンター２２を上下両側から挾持している。
尚、５４はカウンター２２に形成された取付穴である。
【００３５】
図３において、５６は基部保持体４２における円筒形状の基部筒体で、上端部に外向きフランジ状の大径部５８を有しており、この大径部５８が第二取付部材４４に載置状態で台座キャップ６０により下向きに押し付けられている。
尚台座キャップ６０は、第二取付部材４４に対して凹凸嵌合に基づいて固定状態とされている。
【００３６】
この基部筒体５６における大径部５８の中心部には凹部６２が形成されており、そこにリング状の位置保持部材６４とＵパッキン６５とが組み込まれている。
これら位置保持部材６４及びＵパッキン６５もまた、台座キャップ６０により下向きに押圧されている。
【００３７】
図３に示しているように、上記吐水本体３２から下向きに延び出した支持管部３４は基部筒体５６の内部に挿入されており、この基部筒体５６によって左右方向に支持されるとともに、上下移動する際にその案内が行われるようになっている。
【００３８】
この支持管部３４には、その外周面に上周方向溝６６Ａと下周方向溝６６Ｂとが上下に所定間隔隔てて形成されており、これら上周方向溝６６Ａと下周方向溝６６Ｂとにおいて、上記位置保持部材６４により上昇位置と下降位置とに位置保持されるようになっている。
【００３９】
尚、支持管部３４の下端部には抜止部６８が突出状に設けられており、この抜止部６８の基部筒体５６の下端に対する当接作用で支持管部３４が抜止めされている。
【００４０】
図４に示しているように、上周方向溝６６Ａと下周方向溝６６Ｂとにはそれらの溝底面に且つ溝を幅方向に横切る形態で低い突起７０がそれぞれ形成されている。
また上周方向溝６６Ａと下周方向溝６６Ｂの各溝底面の周方向両端には、溝底面から立ち上がる形態でストッパ部７２がそれぞれ形成されている。
【００４１】
尚、上周方向溝６６Ａ，下周方向溝６６Ｂはそれぞれ略半円形状を成しており、ストッパ部７２を間にして支持管部３４の軸直角方向にそれぞれ２つずつ形成されている。
【００４２】
上記位置保持部材６４は樹脂の成形品から成るものであって、図４にも示しているように円形のリング状本体７４と、そのリング状本体７４と一体成形された一対の薄肉のばね部７６とを有している。
【００４３】
ここでリング状本体７４の下底面には、１８０°隔たった２個所に切欠き７７が形成されている。
一方、上記基部筒体５６の凹部６２の底面には、対応する位置に係合突起７８が形成されており、これら係合突起７８と切欠き７７とが係合させられている。そしてそれらの係合作用に基づいて位置保持部材６４が回転方向に位置決固定されている。
【００４４】
上記一対のばね部７６は、リング状本体７４からその中心側に一定距離離れた位置に、且つリング状本体７４に沿って円弧形状に形成されており、リング状本体７４との間に円弧状の隙間７９を形成している。
【００４５】
このばね部７６は、その周方向両端部がＵ字状の湾曲部とされており、それら湾曲部がリング状本体７４へと一体につながっている。これにより各ばね部７６が軸直角方向において良好に弾性変形し得るようになっている。
【００４６】
これら一対のばね部７６の内周面には、周方向のほぼ全長に亘って多数の係合歯から成るセレーション部８０が形成されている。ここでセレーション部８０の周方向両端の係合歯は、上記支持管部３４のストッパ部７２を当接させて回転規制を行う被ストッパ部８０Ａとされている。
【００４７】
位置保持部材６４には、また、それら一対のばね部７６の間の位置において、中心側に突出する嵌合部８２が形成されている。これら嵌合部８２の内周面は円弧状の面とされており、それらの内周面において支持管部３４の外面に摺動可能に嵌合している。
【００４８】
次に本例の水栓装置の作用を説明する。
本例の水栓装置では、吐水本体３２及び支持管部３４から成る吐水部材２８を下向きに押し込むと、ある位置（下降位置）で位置保持部材６４の一対のばね部７６が支持管部３４の上周方向溝６６Ａ内部に弾性的に係入し、そのばね部７６と上周方向溝６６Ａとの係合作用で支持管部３４、つまり吐水本体３２が下降位置に位置保持される。
このとき一対のばね部７６の内周面のセレーション部８０が上周方向溝６６Ａの溝底面に弾性接触状態に押圧され、そしてその押圧状態の下で、セレーション部８０の一部が溝底面に形成された突起７０に係合した状態となる。
【００４９】
そしてそのばね部７６と溝底面との摩擦力に基づいて、更にはセレーション部８０と突起７０との係合作用に基づいて、支持管部３４に回転方向の摺動抵抗が生じ、その摺動抵抗に基づいて支持管部３４、即ち吐水本体３２の自由な回転が抑制される。
即ち吐水本体３２に対して比較的大きな力を加えない限り、その吐水本体３２が所望の回転方向位置に位置保持される。
【００５０】
このように吐水本体３２及び支持管部３４は上記摺動抵抗に基づいて回転運動が抑制されるが、その摺動抵抗に基づいて回転方向の力を加えたとき、かかる摺動抵抗に打ち勝って回転運動することができる。
【００５１】
但し本例ではその回転可能な範囲は一定角度範囲内に規制される。
即ち、図５（Ａ）に示しているように支持管部３４が吐水本体３２と一体に回転運動すると、例えば図５（Ａ）中時計回りに回転運動すると、ある角度位置でストッパ部７２がばね部７６におけるセレーション部８０の周方向端の被当接部８０Ａに当接し、時計方向への更なる回転が阻止される。
【００５２】
また、支持管部３４を逆方向つまり反時計回りに回転させると、ストッパ部７２がばね部７６におけるセレーション部８０の周方向の他方の端の被当接部８０Ａに当接し、同方向の更なる回転が阻止される。
而して本例においては、その回転可能な範囲が、吐水口３８が洗面器２０から外れない範囲に規制されている。
【００５３】
さて、図６に示しているように吐水本体３２を上に持ち上げると支持管部３４が基部筒体５６の内部を上方に移動する。
このとき、位置保持部材６４における一対のばね部７６は、上周方向溝６６Ａの下側の支持管部３４外周面に乗り上げ、支持管部３４の上昇移動を許容する。そして吐水本体３２及び支持管部３４が上昇位置に至ると、位置保持部材６４における一対のばね部７６が下周方向溝６６Ｂ内に弾性的に係入し、支持管部３４及び吐水本体３２をその上昇位置に位置保持する。
【００５４】
またこのとき、一対のばね部７６の内周面、即ち各セレーション部８０が下周方向溝６６Ｂの溝底面に弾性接触状態に押圧され、更にセレーション部８０の一部が溝底面の突起７０に係合状態となって、それらの作用により、支持管部３４に対して回転方向の摺動抵抗が与えられ、これにより支持管部３４及び吐水本体３２の自由な回転が抑制される。
尚この下周方向溝６６Ｂにもストッパ部７２が形成されており、従って吐水本体３２を上昇位置に位置させた状態においても吐水本体３２の回転規制が行われる。
【００５５】
上記のように本例の水栓装置においては、単一の位置保持部材６４によって吐水部材２８の上下方向の位置保持と自由な回転の抑制、更には吐水部材２８の回転範囲の規制を行うことができる。
従ってこの水栓装置においては、必要な部品点数を大幅に少なくでき、吐水部材２８の上下方向の位置保持のための機構及び自由な回転の抑制のための機構、更には回転範囲の規制のための機構が簡素化し、吐水部材及びその周りの構造がコンパクト化する。また所要コストも低減する。
【００５６】
更に本例の水栓装置の場合、一対のばね部７６の内周面に多数の係合歯から成るセレーション部８０を形成し、更には対応する支持管部３４側の上周方向溝６６Ａと下周方向溝６６Ｂとの溝底面に突起７０を形成し、その突起７０とセレーション部８０とを係合させるようにしているため、吐水部材２８の回転摺動抵抗を効果的に高めることができ、以って吐水部材２８の自由な回転を有効に抑制することができる。
【００５７】
以上本発明の実施例を詳述したがこれはあくまで一例示であり、本発明はその主旨を逸脱しない範囲において種々変更を加えた形態で構成可能である。
【図面の簡単な説明】
【図１】  本発明の一実施例である洗髪水栓装置を洗面化粧台に取り付けた状態で示す図である。
【図２】  図１における洗髪水栓装置の作用説明図である。
【図３】  図１の洗髪水栓装置の要部を拡大して示す断面図である。
【図４】  図３に示す要部を各部材に分解して示す図である。
【図５】  図３及び図４における位置保持部材とその作用を示す図である。
【図６】  図３，図４，図５における位置保持部材の位置保持作用を説明する説明図である。
【図７】  従来の洗髪水栓装置を示す図である。
【図８】  図７の洗髪水栓装置の要部拡大断面図及び要部分解図である。
【図９】  従来の洗髪水栓装置において吐水部材の回転範囲を規制する機構を示す図である。
【符号の説明】
２２  カウンター
２６  洗髪水栓装置
２８  吐水部材
３２  吐水本体
３４  支持管部
３６  可撓性ホース
４２  基部保持体
６４  位置保持部材
６６Ａ  上周方向溝
６６Ｂ  下周方向溝
７０  突起
７２  ストッパ部
７４  リング状本体
７６  ばね部
８０  セレーション部
８０Ａ  被当接部
【図１】
0003756648.tif 000002
【図２】
0003756648.tif 000003
【図３】
0003756648.tif 000004
【図４】
0003756648.tif 000005
【図５】
0003756648.tif 000006
【図６】
0003756648.tif 000007
【図７】
0003756648.tif 000008
【図８】
0003756648.tif 000009
【図９】
0003756648.tif 000010